(57)【特許請求の範囲】
【請求項１】
固定座、第一揺れ座、第一駆動装置、第二揺れ座および第二駆動装置を備え、
前記固定座はフレーム前部およびフレーム後部を有し、
前記第一揺れ座はフレーム右側辺部、フレーム左側辺部、二つの前側アームおよび二つの後側アームを有し、
前記第一揺れ座は二つの前記前側アームによって前記固定座の前記フレーム前部に連結され、二つの前記後側アームによって前記固定座の前記フレーム後部に連結され、二つの前記前側アームはそれぞれ前記固定座の前記フレーム前部に旋転可能に装着される先端部と、前記第一揺れ座に旋転可能に装着される末端部とを有し、二つの前記前側アームの前記先端部の間の間隔は二つの前記前側アームの前記末端部の間の間隔より小さく、二つの前記後側アームはそれぞれ前記固定座の前記フレーム後部に旋転可能に装着される先端部と、前記第一揺れ座に旋転可能に装着される末端部とを有し、二つの前記後側アームの前記先端部の間の間隔は二つの前記後側アームの前記末端部の間の間隔より小さいため、前記第一揺れ座は前記固定座に対して弧状軌道に沿って左右スウィングを進めると同時に傾斜度合いを変えることができ、
前記第一駆動装置は、前記第一揺れ座と前記固定座との間に装着されて前記第一揺れ座を前記固定座に向けて左右に揺らすことができ、
前記第二揺れ座は、ベッド、椅子またはソファーに連結され、二つの左側アームおよび二つの右側アームを有し、
前記第二揺れ座は二つの前記左側アームによって前記第一揺れ座の前記フレーム左側辺部に連結され、二つの前記右側アームによって前記第一揺れ座の前記フレーム右側辺部に連結され、二つの前記左側アームはそれぞれ前記第一揺れ座の前記フレーム左側辺部に旋転可能に装着される先端部と、前記第二揺れ座に旋転可能に装着される末端部とを有し、二つの前記左側アームの前記先端部の間の間隔は二つの前記左側アームの前記末端部の間の間隔より小さく、二つの前記右側アームはそれぞれ前記第一揺れ座の前記フレーム右側辺部に旋転可能に装着される先端部と、前記第二揺れ座に旋転可能に装着される末端部とを有し、二つの前記右側アームの前記先端部の間の間隔は二つの前記右側アームの前記末端部の間の間隔より小さいため、前記第二揺れ座は前記第一揺れ座に対して弧状軌道に沿って前後スウィングを進めると同時に傾斜度合いを変えることができ、
前記第二駆動装置は、前記第一揺れ座と前記第二揺れ座との間に装着されて前記第二揺れ座を前記第一揺れ座に向けて前後に揺らすことができることを特徴とするベッド、椅子またはソファー用台座。
【請求項２】
前記第一駆動装置は、第一動力源、第一レバーおよび第一連結棒を有し、前記第一動力源は前記第一揺れ座に装着され、前後方向に沿って伸びていく第一出力軸を有し、前記第一レバーは一端が前記第一出力軸に連結され、前記第一連結棒は一端が前記第一レバーに連結され、別の一端が前記固定座に連結されることを特徴とする請求項１に記載のベッド、椅子またはソファー用台座。
【請求項３】
前記第一動力源はさらに第一モーターおよび第一減速ギアを有し、前記第一減速ギアは前記第一モーターの動力を前記第一出力軸に伝達することを特徴とする請求項２に記載のベッド、椅子またはソファー用台座。
【請求項４】
前記第二駆動装置は、第二動力源、第二レバーおよび第二連結棒を有し、前記第二動力源は前記第一揺れ座に装着され、左右方向に沿って伸びていく第二出力軸を有し、前記第二レバーは一端が前記第二出力軸に連結され、前記第二連結棒は一端が前記第二レバーに連結され、別の一端が前記第二揺れ座に連結されることを特徴とする請求項１に記載のベッド、椅子またはソファー用台座。
【請求項５】
前記第二動力源はさらに第二モーターおよび第二減速ギアを有し、前記第二減速ギアは前記第二モーターの動力を前記第二出力軸に伝達することを特徴とする請求項４に記載のベッド、椅子またはソファー用台座。
【請求項６】
前記第二揺れ座の頂部は前記第一揺れ座の頂部および前記固定座の頂部より高いことを特徴とする請求項１に記載のベッド、椅子またはソファー用台座。
【請求項７】
二つの前記前側アームの前記末端部および二つの前記後側アームの前記末端部は前記第一揺れ座の四つの角部に旋転可能に装着されることを特徴とする請求項１に記載のベッド、椅子またはソファー用台座。
【請求項８】
二つの前記左側アームの前記末端部および二つの前記右側アームの前記末端部は前記第二揺れ座の四つの角部に旋転可能に装着されることを特徴とする請求項１に記載のベッド、椅子またはソファー用台座。
【請求項９】
前記固定座は四つの脚部および四つのプラパートを有し、四つの前記プラパートはそれぞれ前記脚部の底部に装着されることを特徴とする請求項１に記載のベッド、椅子またはソファー用台座。
【請求項１０】
前記第一揺れ座がスウィング行程の中心点に位置する際、前記前側アームと鉛垂線との間の夾角は４から１２度の間であることを特徴とする請求項１に記載のベッド、椅子またはソファー用台座。
【請求項１１】
前記第一揺れ座がスウィング行程の中心点に位置する際、前記前側アームと鉛垂線との間の夾角は５から１０度の間であることを特徴とする請求項１０に記載のベッド、椅子またはソファー用台座。
【請求項１２】
前記第一揺れ座がスウィング行程の中心点に位置する際、前記前側アームと鉛垂線との間の夾角は６から８度の間であることを特徴とする請求項１１に記載のベッド、椅子またはソファー用台座。
【発明の詳細な説明】
【技術分野】
【０００１】
本発明は、家具に関し、詳しくはベッド、椅子またはソファーに用いられ、全方位スウィング機能を搭載する台座に関するものである。
【背景技術】
【０００２】
一般のベッド、椅子またはソファーの多くは動かないように固定される。それに対して、少数の椅子またはソファー、例えばロッキングチェアは単一方向のスウィング、即ち前後スウィングができるが、使用時間が長ければ、使用者を退屈および疲れに感じさせるだけでなく、スウィングに伴って座面が傾斜して成した角度が大きいため、使用者に安定感を感じさせたり、使用者を十分にリラックスさせたりすることはできない。一方、単一方向のスウィングができるベッドはあまり見掛けられなかった。
【発明の概要】
【発明が解決しようとする課題】
【０００３】
本発明は、全方位スウィング機能を搭載することによって単純なスウィングが使用者に退屈および疲れを感じさせる現象を解消するベッド、椅子またはソファー用台座を提供することを主な目的とする。
【０００４】
本発明は、スウィングに伴って生じた傾斜度合いを適宜に変化させることによって使用者に穏やかな快適さを感じさせてリラックス効果を生じるベッド、椅子またはソファー用台座を提供することをもう一つの目的とする。
【課題を解決するための手段】
【０００５】
上述した課題を解決するため、ベッド、椅子またはソファー用台座は固定座、第一揺れ座、第一駆動装置、第二揺れ座および第二駆動装置を備える。固定座はフレーム前部およびフレーム後部を有する。第一揺れ座はフレーム右側辺部、フレーム左側辺部、二つの前側アームおよび二つの後側アームを有する。第一揺れ座は二つの前側アームによって固定座のフレーム前部に連結され、二つの後側アームによって固定座のフレーム後部に連結される。二つの前側アームはそれぞれ固定座のフレーム前部に旋転可能に装着される先端部と、第一揺れ座に旋転可能に装着される末端部とを有する。二つの前側アームの先端部の間の間隔は二つの前側アームの末端部の間の間隔より小さい。二つの後側アームはそれぞれ固定座のフレーム後部に旋転可能に装着される先端部と、第一揺れ座に旋転可能に装着される末端部とを有する。二つの後側アームの先端部の間の間隔は二つの後側アームの末端部の間の間隔より小さい。上述した構造特徴により、第一揺れ座は固定座に対して弧状軌道に沿って左右スウィングを進めると同時に傾斜度合いを変えることができる。第一駆動装置は第一揺れ座と固定座との間に装着されて第一揺れ座を固定座に向けて左右に揺らす。第二揺れ座はベッド、椅子またはソファーに連結され、二つの左側アームおよび二つの右側アームを有する。第二揺れ座は二つの左側アームによって第一揺れ座のフレーム左側辺部に連結され、二つの右側アームによって第一揺れ座のフレーム右側辺部に連結される。二つの左側アームはそれぞれ第一揺れ座のフレーム左側辺部に旋転可能に装着される先端部と、第二揺れ座に旋転可能に装着される末端部とを有する。二つの左側アームの先端部の間の間隔は二つの左側アームの末端部の間の間隔より小さい。二つの右側アームはそれぞれ第一揺れ座のフレーム右側辺部に旋転可能に装着される先端部と、第二揺れ座に旋転可能に装着される末端部とを有する。二つの右側アームの先端部の間の間隔は二つの右側アームの末端部の間の間隔より小さい。上述した構造特徴により、第二揺れ座は第一揺れ座に対して弧状軌道に沿って前後スウィングを進めると同時に傾斜度合いを変えることができる。第二駆動装置は第一揺れ座と第二揺れ座との間に装着されて第二揺れ座を第一揺れ座に向けて前後に揺らす。上述したとおり、ベッド、椅子またはソファー用台座は全方位スウィング機能を有するため、単純なスウィングが使用者に退屈および疲れを感じさせる現象を解消できるだけでなく、スウィングに伴って生じた傾斜度合いを適宜に変化させることによって使用者に穏やかな快適さを感じさせてリラックス効果を生じることができる。
【図面の簡単な説明】
【０００６】
【図１】本発明の第１実施形態によるベッド、椅子またはソファー用台座を示す斜視図である。
【図２】本発明の第１実施形態によるベッド、椅子またはソファー用台座を示す分解斜視図である。
【図３】本発明の第１実施形態によるベッド、椅子またはソファー用台座を示す正面図である。
【図４】本発明の第１実施形態によるベッド、椅子またはソファー用台座の作動状態を示す正面図である。
【図５】本発明の第１実施形態によるベッド、椅子またはソファー用台座の作動状態を示す正面図である。
【図６】本発明の第１実施形態と対照する第一比較例によって掲示されるベッド、椅子またはソファー用台座を示す正面図である。
【図７】本発明の第１実施形態と対照する第一比較例によって掲示されるベッド、椅子またはソファー用台座の作動状態を示す正面図である。
【図８】本発明の第１実施形態と対照する第一比較例によって掲示されるベッド、椅子またはソファー用台座の作動状態を示す正面図である。
【図９】本発明第１実施形態と対照する第二比較例によって掲示されるベッド、椅子またはソファー用台座を示す正面図である。
【図１０】本発明第１実施形態と対照する第二比較例によって掲示されるベッド、椅子またはソファー用台座の作動状態を示す正面図である。
【図１１】本発明第１実施形態と対照する第二比較例によって掲示されるベッド、椅子またはソファー用台座の作動状態を示す正面図である。
【発明を実施するための形態】
【０００７】
以下、本発明によるベッド、椅子またはソファー用台座を図面に基づいて説明する。
【０００８】
（第1実施形態）
本発明の第1実施形態によるベッド、椅子またはソファー用台座１０は固定座２０、第一揺れ座３０、第一駆動装置４０、第二揺れ座５０および第二駆動装置６０を備える。
【０００９】
固定座２０は、中空矩形のフレームから構成され、フレーム前部２２、フレーム後部２４、二つの桿状連結部２５および四つの脚部２６を有する。二つの桿状連結部２５はフレーム前部２２およびフレーム後部２４を連結する。四つの脚部２６は床または平坦な地面に着くための部品である。脚部２６が滑って移動する現象を抑制するためにプラスチック、ゴムまたは滑り止め材からなるプラパート２８を四つの脚部２６の底部に取り付ければよい。固定座２０は高さＨ１がある。
【００１０】
第一揺れ座３０は、矩形のフレームから構成され、フレーム右側辺部３１、フレーム左側辺部３２、二つの桿状連結部３３、ベース３４、二つの前側アーム３６および二つの後側アーム３７を有する。二つの桿状連結部３３はフレーム右側辺部３１およびフレーム左側辺部３２を連結する。ベース３４は二つの桿状連結部３３の間に配置される。第一揺れ座３０は二つの前側アーム３６によって固定座２０のフレーム前部２２に連結され、二つの後側アーム３７によって固定座２０のフレーム後部２４に連結される。二つの前側アーム３６はそれぞれ固定座２０のフレーム前部２２に旋転可能に装着される先端部３６１と、第一揺れ座３０に旋転可能に装着される末端部３６２とを有する。二つの前側アーム３６の先端部３６１の間の間隔Ｄ１は二つの前側アーム３６の末端部３６２の間の間隔Ｄ２より小さい。二つの後側アーム３７はそれぞれ固定座２０のフレーム後部２４に旋転可能に装着される先端部３７１と、第一揺れ座３０に旋転可能に装着される末端部３７２とを有する。二つの後側アーム３７の先端部３７１の間の間隔Ｄ１は二つの後側アーム３７の末端部３７２の間の間隔Ｄ２より小さい。二つの前側アーム３６、二つの後側アーム３７および第一揺れ座３０の連結箇所は第一揺れ座３０の四つの角部３８に位置する。連結位置は状況に応じて変わってもよい。上述した構造特徴により、第一揺れ座３０は固定座２０に対して弧状軌道に沿って左右スウィングを進めると同時に傾斜度合いを変えることができる。第一揺れ座３０は固定座２０の中央に位置付けられ、全体の高さＨ２が固定座２０の高さＨ１と一致し、頂部３９が固定座２０の頂部２９より少々高い。
【００１１】
第一駆動装置４０は、第一動力源４１、第一レバー４６および第一連結棒４８を有する。第一動力源４１は第一揺れ座３０のベース３４に装着され、第一モーター４２、第一減速ギア４３および前後方向に沿って伸びていく第一出力軸４４を有する。第一減速ギア４３は第一モーター４２の動力を第一出力軸４４に伝達する。第一レバー４６は一端が第一出力軸４４に連結される。第一連結棒４８は一端が第一レバー４６に連結され、別の一端が固定座２０の桿状連結部２５に連結される。上述した構造特徴により、第一駆動装置４０は第一揺れ座３０を固定座２０に向けて左右に揺らすことができる。
【００１２】
第二揺れ座５０は、矩形のフレームから構成され、二つの左側アーム５２および二つの右側アーム５４を有する。第二揺れ座５０は二つの左側アーム５２によって第一揺れ座３０のフレーム左側辺部３２に連結され、二つの右側アーム５４によって第一揺れ座３０のフレーム右側辺部３１に連結される。二つの左側アーム５２はそれぞれ第一揺れ座３０のフレーム左側辺部３２に旋転可能に装着される先端部５２１と、第二揺れ座５０に旋転可能に装着される末端部５２２とを有する。二つの左側アーム５２の先端部５２１の間の間隔Ｄ３は二つの左側アーム５２の末端部５２２の間の間隔Ｄ４より小さい。二つの右側アーム５４はそれぞれ第一揺れ座３０のフレーム右側辺部３１に旋転可能に装着される先端部５４１と、第二揺れ座５０に旋転可能に装着される末端部５４２とを有する。二つの右側アーム５４の先端部５４１の間の間隔Ｄ３は二つの右側アーム５４の末端部５４２の間の間隔Ｄ４より小さい。二つの左側アーム５２、二つの右側アーム５４および第二揺れ座５０の連結箇所は第二揺れ座５０の四つの角部５６に位置する。連結位置は状況に応じて変わってもよい。上述した構造特徴により、第二揺れ座５０は第一揺れ座３０に対して弧状軌道に沿って前後スウィングを進めると同時に傾斜度合いを変えることができる。第二揺れ座５０は第一揺れ座３０の中央に位置付けられ、全体の高さＨ３が第一揺れ座３０の高さＨ２と一致し、頂部５８が第一揺れ座３０の頂部３９より少々高い。第二揺れ座５０の頂部５８はベッド、椅子またはソファーに連結される。
【００１３】
第二駆動装置６０は、第二動力源６１、第二レバー６６および第二連結棒６８を有する。第二動力源６１は第一揺れ座３０のベース３４に装着され、第二モーター６２、第二減速ギア６３および左右方向に沿って伸びていく第二出力軸６４を有する。第二減速ギア６３は第二モーター６２の動力を第二出力軸６４に伝達する。第二レバー６６は一端が第二出力軸６４に連結される。第二連結棒６８は一端が第二レバー６６に連結され、別の一端が第二揺れ座５０に連結される。上述した構造特徴により、図４および図５に示すように、第二駆動装置６０は第二揺れ座５０を第一揺れ座３０に向けて前後に揺らすことができる。
【００１４】
上述した構造特徴により、本発明によるベッド、椅子またはソファー用台座１０はベッド、椅子またはソファーを前後または左右にスウィングさせ、スウィング軌道が上向きの円弧状である。第一駆動装置４０および第二駆動装置６０が同時に作動する際、第一出力軸４４および第二出力軸６４の回転速度が異なれば全方位スウィング機能を生じて使用者に様々な使用心地を体験させ、単純なスウィングが使用者に退屈および疲れを感じさせる現象を解消することができる。一方、図３から図５に示すように、前側アーム３６の間、後側アーム３７の間、左側アーム５２の間および右側アーム５４の間は間隔の上が狭く、間隔の下が広いため、第一揺れ座３０および第二揺れ座５０のスウィングに伴って生じた傾斜度合いは使用者に不安を感じさせないほど適宜であり、単純な機械の作動が使用者に退屈を感じさせることを解消できる。つまり、本発明によるベッド、椅子またはソファー用台座１０は
人間工学に基づいて使用者に穏やかな快適さを感じさせてリラックス効果を生じることができる。
【００１５】
第一動力源４１および第二動力源６１は第一揺れ座３０のベース３４に配置されるため、全体の重心を低くし、台座１０の振動を抑制し、作動のスムーズさを効果的に向上させることができる。
【００１６】
以下、本発明の作動特徴について説明を進める。第１実施形態において第一揺れ座３０および第二揺れ座５０は構造および作動が同じであるため、第二揺れ座５０を例として挙げて説明する。図４および図５に示すように、二つの左側アーム５２の間の間隔および二つの右側アーム５４の間の間隔は上が狭く、下が広いため、第二揺れ座５０が前後にスウィングすれば傾斜度合いが変化する。つまり、吊るし構造の単一ブランコと比べて第二揺れ座５０は角度の変化が大きいため、使用者に穏やかな快適さを感じさせてリラックス効果を生じることができるだけでなく、使用者に刺激および面白さを感じさせることができる。
【００１７】
以下、本発明による台座の作動特徴と対照する二つの比較例を挙げて説明を進める。図６に示すように、第一比較例において、二つの左側アーム５２ａの間の間隔は上が広く、下が狭いため、作動状態は完全に異なる。図７に示すように、第二揺れ座５０ａが前にスウィングすると前に傾く。図８に示すように第二揺れ座５０ａが後にスウィングすると後に傾く。従って、使用者は投げ出されるような感覚を覚え、落ち着かない。それに対し、本発明による台座１０において、図４に示すように、第二揺れ座５０が前にスウィングすると後に傾く。図５に示すように第二揺れ座５０が後にスウィングすると前に傾く。従って、使用者は包まれているような落ち着く感覚を体感する。図９に示すように、第二比較例において、二つの左側アーム５２ｂは相互に平行であるため、作動状態は完全に異なる。図１０に示すように、第二揺れ座５０ｂが前にスウィングしても角度が変わらない（即ち斜めにならない）。図１１に示すように第二揺れ座５０ｂが後にスウィングしても角度が変わらない（即ち斜めにならない）。従って、使用者は単純な機械の作動によって疲れまたは退屈さが出やすくなる。
【００１８】
言い換えれば、本発明の設計は多くのテストを通って最良の形態を求めることによって使用者を十分にリラックスさせ、不眠問題を改善することが目的である。テストの結果により、下記のことが判明した。第一揺れ座３０および第二揺れ座５０がスウィング行程の中心点に位置する際、前側アーム３６、後側アーム３７、左側アーム５２、右側アーム５４と鉛垂線との間の夾角は４から１２度の間が許容範囲であり、５から１０度の間が好ましく、６から８度の間が最も好ましい。第１実施形態は７度の夾角を例として挙げる。本発明による台座１０は構造が上述に限定されず、実際のニーズに応じて変わってもよい。例えば、第一駆動装置および第二駆動装置は往復運動可能な駆動装置であってもよい。
【００１９】
以上、本発明は、上記実施形態になんら限定されるものではなく、発明の趣旨を逸脱しない範囲において種々の形態で実施可能である。
【符号の説明】
【００２０】
１０：ベッド、椅子またはソファー用台座、  
２０：固定座、  
２２：フレーム前部、  
２４：フレーム後部、  
２５：桿状連結部、  
２６：脚部、  
２８：プラパート、  
２９：頂部、  
３０：第一揺れ座、  
３１：フレーム右側辺部、  
３２：フレーム左側辺部、  
３３：桿状連結部、  
３４：ベース、  
３６：前側アーム、  
３６１：先端部、  
３６２：末端部、  
３７：後側アーム、  
３７１：先端部、  
３７２：末端部、  
３８：角部、  
３９：頂部、  
４０：第一駆動装置、  
４１：第一動力源、  
４２：第一モーター、  
４３：第一減速ギア、  
４４：第一出力軸、  
４６：第一レバー、  
４８：第一連結棒、  
５０：第二揺れ座、  
５２：左側アーム、  
５２１：先端部  
５２２：末端部、  
５４：右側アーム、  
５４１：先端部、  
５４２：末端部、  
５６：角部、  
５８：頂部、  
６０：第二駆動装置、  
６１：第二動力源、  
６２：第二モーター、  
６３：第二減速ギア、  
６４：第二出力軸、  
６６：第二レバー、  
６８：第二連結棒、  
Ｄ１、Ｄ２、Ｄ３、Ｄ４：間隔、  
Ｈ１、Ｈ２、Ｈ３：高さ、
【要約】      （修正有）【課題】ベッド、椅子またはソファー用台座を提供する。【解決手段】ベッド、椅子またはソファー用台座１０は固定座２０、第一揺れ座３０、第一駆動装置４０、第二揺れ座５０および第二駆動装置６０を備える。第一揺れ座は四つのアームによって固定座に連結される。第一駆動装置は第一揺れ座を固定座に向けて左右に揺らすと同時に傾斜度合いを変化させ、スウィング軌道が上向きの円弧形である。第二揺れ座は四つのアームによって第一揺れ座に連結される。四つのアームはそれぞれ尖端部が第一揺れ座に旋転可能に装着され、末端部が第二揺れ座に旋転可能に装着される。第二駆動装置は第二揺れ座を第一揺れ座に向けて前後に揺らすと同時に傾斜度合いを変化させ、スウィング軌道が上向きの円弧形である。上述した構造特徴により、台座は全方位スウィング機能を生じ、スウィングに伴って生じた傾斜度合いを適宜に変化させることができる。【選択図】図１【図１】
0006850503.tif 000002
【図２】
0006850503.tif 000003
【図３】
0006850503.tif 000004
【図４】
0006850503.tif 000005
【図５】
0006850503.tif 000006
【図６】
0006850503.tif 000007
【図７】
0006850503.tif 000008
【図８】
0006850503.tif 000009
【図９】
0006850503.tif 000010
【図１０】
0006850503.tif 000011
【図１１】
0006850503.tif 000012